(57)【特許請求の範囲】
【請求項１】
複数枚のサムネイル画像を表示部に分割表示可能なデジタルカメラにおいて、
前記表示部に表示すべきサムネイル画像の分割数を指定する分割数指定手段と、
前記表示部に、前記指定された分割数の複数枚のサムネイル画像を分割表示させる分割表示制御手段と、
前記分割表示された複数枚のサムネイル画像のうち、指定されたサムネイル画像を識別表示させる識別表示制御手段と、
を備え、
前記分割数指定手段で、前記サムネイル画像の分割数の変更が指示された場合には、変更指示された分割数でサムネイル画像の分割表示を行い、かつ現在識別表示されているサムネイル画像を含んだ分割表示を行うことを特徴とする
デジタルカメラ。
【請求項２】
前記分割数指定手段は、４分割表示と９分割表示との間で変更指示することを特徴とする請求項１に記載のデジタルカメラ。
【請求項３】
更に、前記分割表示されたサムネイル画像の画面のページ送り及びページ戻しを指示するページ送り・ページ戻し指示手段を備え、
前記ページ送り・ページ戻し指示手段により、ページ送りが指定された場合に、最終ページ番号のつぎは、最初のページを表示することを特徴とする請求項１または請求項２に記載のデジタルカメラ。
【請求項４】
更に、前記分割表示されたサムネイル画像の画面のページ送り及びページ戻しを指示するページ送り・ページ戻し指示手段を備え、
前記ページ送り・ページ戻し指示手段により、ページ戻しが指定された場合に、最初のページ番号のつぎは、最終ページを表示することを特徴とする請求項１または請求項２に記載のデジタルカメラ。
【請求項５】
更に、サムネイルを分割表示する際に、ページデータを表示することを特徴とする請求項１〜請求項４のいずれか１つに記載のデジタルカメラ。
【請求項６】
更に、サムネイルを分割表示する際に、現在表示しているページのページデータとサムネイル画像データの総ページ数とを表示することを特徴とする請求項１〜請求項４のいずれか１つに記載のデジタルカメラ。
【請求項７】
更に、前記ページデータの表示のＯＮ／ＯＦＦを指示するページ表示指定手段を備えたことを特徴とする請求項５に記載のデジタルカメラ。
【請求項８】
更に、前記ページデータと前記総ページ数の表示のＯＮ／ＯＦＦを指示するページ表示指定手段を備えたことを特徴とする請求項６に記載のデジタルカメラ。
【請求項９】
複数枚のサムネイル画像を表示部に分割表示する画像表示方法において、
前記表示部に表示すべきサムネイル画像の分割数を指定する分割数指定工程と、
前記表示部に、前記指定された分割数の複数枚のサムネイル画像を分割表示させる分割表示制御工程と、
前記分割表示された複数枚のサムネイル画像のうち、指定されたサムネイル画像を識別表示させる識別表示制御工程と、
を含み、
前記分割数指定工程では、前記サムネイル画像の分割数の変更が指示された場合には、変更指示された分割数でサムネイル画像の分割表示を行い、かつ現在識別表示されているサムネイル画像を含んだ分割表示を行うことを特徴とする画像表示方法。
【請求項１０】
前記分割数指定工程では、４分割表示と９分割表示との間で変更指示することを特徴とする請求項９に記載の画像表示方法。
【請求項１１】
更に、前記分割表示されたサムネイル画像の画面のページ送り及びページ戻しを指示するページ送り・ページ戻し指示工程とを含み、
前記ページ送り・ページ戻し指示手段により、ページ送りが指定された場合に、最終ページ番号のつぎは、最初のページを表示することを特徴とする請求項９または請求項１０
に記載の画像表示方法。
【請求項１２】
更に、前記分割表示されたサムネイル画像の画面のページ送り及びページ戻しを指示するページ送り・ページ戻し指示工程を含み、
前記ページ送り・ページ戻し指示工程により、ページ戻しが指定された場合に、最初のページ番号のつぎは、最終ページを表示することを特徴とする請求項９または請求項１０に記載の画像表示方法。
【請求項１３】
更に、サムネイルを分割表示する際に、ページデータを表示することを特徴とする請求項９〜請求項１２のいずれか１つに記載の画像表示方法。
【請求項１４】
更に、サムネイルを分割表示する際に、現在表示しているページのページデータとサムネイル画像データの総ページ数とを表示することを特徴とする請求項９〜請求項１２のいずれか１つに記載の画像表示方法。
【請求項１５】
更に、前記ページデータの表示のＯＮ／ＯＦＦを指示するページ表示指定工程を含むことを特徴とする請求項１３に記載の画像表示方法。
【請求項１６】
更に、前記ページデータと前記総ページ数の表示のＯＮ／ＯＦＦを指示するページ表示指定工程を含むことを特徴とする請求項１４に記載の画像表示方法。
【発明の詳細な説明】
【０００１】
【発明の属する技術分野】
この発明は、複数枚のサムネイル画像を表示部に分割表示可能なデジタルカメラおよび画像表示方法に関し、より詳細には、現在表示されている画面にページ番号と、サムネイル画像のファイル番号および表示位置番号を表示するデジタルカメラおよび画像表示方法に関する。
【０００２】
【従来の技術】
近時、サムネイル画像を表示する機能を備えたデジタルカメラが普及しており、例えば、特開平８−１９５９２７号公報に記載されたデジタルスチルカメラが知られている。
【０００３】
上記公開公報に記載されたデジタルカメラは、被写体からの光像をレンズで撮像素子上に結像して光電変換した電気信号に各種の信号処理を施し、ＹＣｒＣｂ形式の画像データを得、当該画像データを圧縮して画像蓄積用メモリ等に書き込み、当該画像蓄積用メモリから画像データを読み出して、ＣＲＴ等の表示手段に再生するものであり、画像蓄積用メモリからの圧縮画像データを展開するフレームメモリと、表示手段の画面上の座標位置とフレームメモリとの対応関係を管理するメモリコントローラとから表示手段にサムネイルを複数配列して表示する機能を備えている。
【０００４】
【発明が解決しようとする課題】
しかしながら、上記従来のデジタルカメラにあっては、複数枚のサムネイル画像を表示している一画面を１ページとした場合、現在表示されている画面が何ページ目か分からないという問題がある。
【０００５】
また、複数枚のサムネイル画像が表示された画面で、画面の分割数を変更した場合に、現在カーソル等で表示されているサムネイル画像が、次の変更画面では表示されない場合があるという問題がある。
【０００６】
本発明は、上記課題に鑑みてなされてものであり、複数枚のサムネイル画像を一画面に表示した場合に、現在表示されている画面が何ページ目かを、操作者が容易に判断することが可能なデジタルカメラを提供することを目的とする。
【０００７】
また、本発明の他の目的は、複数枚のサムネイル画像が表示された画面で、画面の分割数を変更した場合に、現在カーソル等で表示されているサムネイル画像を、次の変更画面でも表示可能なデジタルカメラを提供することを目的とする。
【０００８】
【課題を解決するための手段】
上述した課題を解決するために、本発明は、サムネイル画像データを含む画像データを格納するための記憶手段と、前記サムネイル画像データを表示するための表示手段と、複数ページの前記サムネイル画像データの表示および当該サムネイル画像データと共にページデータの表示を制御する制御手段と、を備えたものである。
【０００９】
また、本発明は、前記ページデータは、現在表示しているページのデータとサムネイル画像データの総ページ数のデータとを含むこととした。
【００１０】
また、本発明は、さらに、１ページのサムネイル画像データの数を設定するための入力を受け取る入力手段を備えたものである。
【００１１】
また、本発明は、さらに、サムネイル画像データの続きのページを連続して表示するための切替手段を備えたものである。
【００１２】
また、本発明は、前記制御手段は、各サムネイル画像データのファイル番号の表示を制御するものである。
【００１３】
また、本発明は、前記入力手段は、表示されているページで１つのサムネイル画像データが選択された際に、１ページのサムネイル画像データの数を変更するための変更入力を受け取り、当該選択されたサムネイル画像データは変更されたページ上でも表示されることとした。
【００１４】
また、本発明は、前記制御手段は、前記１ページのサムネイル画像データの数を設定するための入力に基づき、サムネイル画像データの総ページ数および／または現在表示しているページの番号を算出するものである。
【００１５】
また、本発明は、最終ページと最初のページは続きのページであることとした。
【００１６】
また、本発明は、前記制御手段は、前記１ページのサムネイル画像データの数を変更するための変更入力に基づき、現在表示しているページの番号および／またはサムネイル画像データの総ページ数を算出するものである。
【００１７】
また、本発明は、前記表示手段は、サムネイル画像データの表示位置番号を表示し、前記制御手段は、前記１ページのサムネイル画像データの数を変更するための変更入力に基づき、前記表示位置番号を算出するものである。
【００１８】
また、本発明は、サムネイル画像データを含む画像データを格納するステップと、前記サムネイル画像データを表示するステップと、複数ページの前記サムネイル画像データの表示および当該サムネイル画像データと共にページデータの表示を制御するステップと、を含むものである。
【００１９】
また、本発明は、前記ページデータは、現在表示しているページのデータとサムネイル画像データの総ページ数のデータとを含むものである。
【００２０】
また、本発明は、さらに、１ページのサムネイル画像データの数の設定を入力するステップを含むものである。
【００２１】
また、本発明は、さらに、サムネイル画像データの続きのページを連続して表示することを選択するステップを含むものである。
【００２２】
また、本発明は、さらに、各サムネイル画像データのファイル番号の表示するステップを含むものである。
【００２３】
また、本発明は、前記入力するステップでは、表示されているページで１つのサムネイル画像データが選択された際に、１ページのサムネイル画像データの数の変更が可能であり、当該選択されたサムネイル画像データは変更されたページ上でも表示されるものである。
【００２４】
また、本発明は、前記制御するステップでは、前記１ページのサムネイル画像データの数を設定する設定入力に基づき、サムネイル画像データの総ページ数および／または現在表示しているページの番号を算出するものである。
【００２５】
また、本発明は、最終ページと最初のページは続きのページであることとした。
【００２６】
また、本発明は、前記制御するステップでは、前記１ページのサムネイル画像データの数を変更する変更入力に基づき、現在表示しているページの番号および／またはサムネイル画像データの総ページ数を算出するものである。
【００２７】
また、本発明は、前記表示するステップでは、サムネイル画像データの表示位置番号を表示し、前記制御するステップでは、前記１ページのサムネイル画像データの数を変更する変更入力に基づき、前記表示位置番号を算出するものである。
【００２８】
また、本発明は、複数枚のサムネイル画像を表示部に分割表示可能なデジタルカメラにおいて、画像データと、当該画像データに対応するサムネイル画像が、関連づけて格納される記憶媒体と、前記表示部に表示すべきサムネイル画像の分割数を指定する分割数指定手段と、前記表示部に、前記指定された分割数の複数枚のサムネイル画像を分割表示させる分割表示制御手段と、を備え、前記表示部に、前記指定された分割数のサムネイル画像を表示させる場合に、前記記録媒体に記録された画像データの総数を指定された分割数で割った数を総ページとし、当該総ページ数と、現在表示している画面のページ番号とを併せて表示するものである。
【００２９】
また、本発明は、更に、前記分割表示されたサムネイル画像の画面のページ送り及びページ戻しを指示するページ送り・ページ戻し指示手段を備え、前記ページ送り・ページ戻し指示手段により、ページ送りが指定された場合には後ろのページの分割画面を表示するとともに表示するページ番号を１増加させる一方、ページ戻しが指定された場合には前のページの分割画面を表示すると共に表示するページ番号を１減少させるものである。
【００３０】
また、本発明は、前記ページ送り・ページ戻し指示手段により、ページ送りが指定された場合に、最終ページ番号のつぎは、最初のページを表示する一方、ページ戻しが指定された場合に、最初のページ番号のつぎは、最終ページを表示するものである。
【００３１】
また、本発明は、更に、前記総ページ数及び前記現在のページ番号の表示のＯＮ／ＯＦＦを指示するページ表示指定手段を備えたものである。
【００３２】
また、本発明は、複数枚のサムネイル画像を表示部に分割表示可能なデジタルカメラにおいて、前記表示部に表示すべきサムネイル画像の分割数を指定する分割数指定手段と、前記表示部に、前記指定された分割数の複数枚のサムネイル画像を分割表示させる分割表示制御手段と、前記分割表示された複数枚のサムネイル画像のうち、指定されたサムネイル画像を識別表示させる識別表示制御手段と、を備え、前記分割数指定手段で、前記分割数の変更が指示された場合には、変更指示された分割数で、現在識別表示されているサムネイル画像を含んだ分割表示をするものである。
【００３３】
また、本発明は、前記分割数指定手段は、４分割表示と９分割表示との間で変更指示するものである。
【００３４】
【発明の実施の形態】
以下に添付図面を参照して、この発明に係る好適な実施の形態を詳細に説明する。
【００３５】
図１はこの発明に係るデジタルカメラの一実施の形態を示すブロック図である。図１に示すデジタルスチルカメラは、レンズ１、オートフォーカスを含むメカ機構２、ＣＣＤ３、ＣＤＳ回路４、Ａ／Ｄ変換器５、デジタル信号処理回路６、圧縮／伸張回路７、ＤＲＡＭ８、メモリカード９、ＬＣＤ１０、ドライバ１１、ＳＧ１２、ＣＰＵ１３、操作部１４、ストロボ１５、マイク１６、ＡＭＰ／ＦＩＬＴＥＲ１７、Ｄ／Ａ変換器１８、音声データ圧縮／伸張回路１９、Ａ／Ｄ変換器２０、ＡＭＰ／ＦＩＬＴＥＲ２１、及びＯＳＤ２２等により構成されている。そして、ＣＰＵ１３は、ＲＡＭ２３を有し、ＣＰＵＢＵＳ２４を介して種々の構成要素と接続されている。
【００３６】
レンズユニットは、レンズ１、オートフォーカス（ＡＦ）・絞り・フィルター部を含むメカ機構２等からなり、メカ機構２のメカニカルシャッターは２つのフィールドの同時露光を行う。ＣＣＤ（電荷結合素子）３は、レンズユニットを介して入力した映像を電気信号（アナログ画像データ）に変換する。ＣＤＳ（相関２重サンプリング）回路４は、ＣＣＤ３から出力される電気信号のノイズを小さくする。また、Ａ／Ｄ変換器５は、ＣＤＳ回路４を介してＣＣＤ３から入力したアナログ画像データをデジタル画像データに変換する。すなわち、ＣＣＤ３の出力信号は、ＣＤＳ回路４を通じてＡ／Ｄ変換器５で最適なサンプリング周波数（例えば、ＮＴＳＣ信号のサブキャリア周波数の整数倍）にてデジタル信号に変換される。
【００３７】
また、デジタル信号処理部６は、Ａ／Ｄ変換器５から入力した画像データを色差データと輝度データに分けて各種処理、補正、及び画像圧縮／伸長のためのデータ処理を施す。画像圧縮／伸長回路７は、ＪＰＥＧに準拠しており、画像データを直交変換・ハフマン符号化して圧縮する。また、画像圧縮／伸長回路７は、画像データをハフマン復号化・逆直交変換して伸張する。
【００３８】
一方、音声は、マイク１６等の音声−電気信号変換素子により電気信号に変換されて音声データとなり、ＡＭＰ／ＦＩＬＴＥＲ１７により増幅され必要帯域にカットオフされた後、Ｄ／Ａ変換器１８により所定帯域の２倍以上のサンプリング周波数でデジタル音声データに変換される。更に、このデジタル音声データはデータ圧縮・伸長部１９により圧縮・符号化処理される。
【００３９】
ＤＲＡＭ８は、圧縮処理された画像データを一時的に格納する。圧縮された画像データは画像データファイルとして、圧縮された音声データは音声データファイルとしてメモリカード９に記録される。
【００４０】
また、ＬＣＤ１０には、メモリカード９に記録されている画像データに応じた画像が表示される。また、ＬＣＤ１０には、設定されているデジタルスチルカメラの状態、例えば、設定されているモード表示やエラー表示等が行われる。
【００４１】
操作部１４は、機能選択、撮影指示、及びその他の各種設定を外部から行うための操作キーを備えている。操作キーとしては、例えば、メモリカード９に格納されている複数枚のサムネイル画像を分割表示を指示する「分割表示指示」キー、複数枚のサムネイル画像を分割表示する際の分割数を指定する「分割数指定」キー、分割表示されているサムネイル画像の１つをカーソル表示（識別表示）するためのカーソルキーと、サムネイル画像の分割画面の表示すべきページ番号を指定する「ページ番号指定」キーと、サムネイル画像の分割画面のページ送り及びページ戻しを指示するための「ページ送り」キー及び「ページ戻し」キー、サムネイル画像の分割画面の総ページ数Ｌ及び現ページ番号Ｐの表示のＯＮ／ＯＦＦを指定する「ページ表示ＯＮ／ＯＦＦ」キー等がある。
【００４２】
ＣＰＵ１３は、操作部１４からの指示、若しくは図示しないリモコン等の外部動作指示に応じて、図示しないＲＯＭに格納された制御プログラムに従って、デジタルカメラの各部の動作を制御する。例えば、ＣＰＵ１３は、メモリカード９への画像データ、サムネイル画像、及び音声データの記録動作の制御、メモリカード９に記録されている画像データ、サムネイル画像、及び音声データの再生動作の制御等を行う。
【００４３】
また、ＣＰＵ１３は、サムネイル画像を分割表示する際に使用するサムネイル画像表示用レジスタを有するＲＡＭ２３を備えている。図２は、サムネイル表示用レジスタの一例を示す図である。図２に示すサムネイル表示用レジスタＲは、画像データファイル（画像データ、サムネイル画像）の総数Ｎを格納する総画像数レジスタＲ１と、上記操作部１４の「分割数指定」キーで指定されるサムネイル画像の分割数Ｄを格納する分割数レジスタＲ２と、画像データの総数Ｎ／分割数Ｄで得られる総ページ数Ｌを格納する総ページ数レジスタＲ３と、及び現在表示されている分割画面のページ番号Ｐを格納する現ページ番号レジスタＲ４と、からなる。なお、総画像数レジスタＲ１の画像データファイルの総数Ｎは、後述するメモリカード９のディレクトリ領域９４のファイル名データから検索される。
【００４４】
図３は、上記メモリカード９のフォーマットの一例を示す図である。このフォーマットは、パソコン用のＤＯＳのフォーマットと同一のものとなっている。メモリカード９は、図３に示す如く、デバイス種類、アクセス速度、記憶容量等のカード属性情報が格納されるアトリビュート領域９１と、ブートセレクタ領域９２と、ＦＡＴ領域９３と、ディレクトリエントリ領域９４と、画像データファイルを格納する画像データファイル格納領域９５と、音声データファイルを格納する音声データファイル格納領域９６と、から構成されている。
【００４５】
ブートセレクタ領域９２には、メモリカード９からデータを読み書きする場合に必要なパラメータ、すなわち、ＦＡＴ（file  allocation  table ）や、ディレクトリエントリ等が記録される。
【００４６】
ＦＡＴ領域９３には、各ファイルのデータが記録されている状態の情報であるＦＡＴエントリが書き込まれる。なお、データが記録されているメモリ上の位置は、データの書き込み単位の番号となるクラスタ番号で示されている。
【００４７】
図４は、ディレクトリエントリ領域９４に格納されるデータの構成の一例を示す図である。ディレクトリエントリ領域９４には、図４に示す如く、記録したデータのファイル名、ファイル属性、予約領域、作成／更新時刻、作成更新日付、対応するファイルまたはサブディレクトリエントリの物理的位置（ＦＡＴ開始番号）と該ファイルのサイズについての情報がそれぞれ記録されている。上記ファイル名としては、対応するものがデータファイルであるときには、ファイルの属性情報の１つである拡張子を含むファイル名が記録される。
【００４８】
画像データファイル領域９５の構成は、図５に示す如くなっており、各画像データファイル（例えば、RIM00001.JPG、RIM00002.JPG、RIM00003.JPG、RIM00004.JPG、・・・・）が、順次固定長のデータで書き込まれている。また、画像データファイルは、図示の如く、画像ヘッダー、画像データ、および当該画像データに対応するサムネイル画像からなる。画像ヘッダーには、ファイル属性、個別規格名称、規格のバージョン、画像データ本体の関連情報、サムネイル画像の関連情報、及び記録モード等が記録される。
【００４９】
次に、デジタルカメラの画像データの記録動作を説明する。先ず、レンズ１を介して入力される被写体像は、ＣＣＤ３で電気信号（アナログ画像データ）に変換された後、ＣＤＳ４を経て、Ａ／Ｄ変換器５に入力されアナログ画像データがデジタル画像データに変換される。変換されたデジタル画像データは、デジタル信号処理回路６で信号処理されて、ＣＰＵバス２４を介してＤＲＡＭ８に格納される。ＤＲＡＭ８に格納されたデジタル画像データは、ＣＰＵバス２４を介して圧縮／伸張回路７に入力され、圧縮処理されて、再び、ＤＲＡＭ８に格納される。圧縮処理が終了すると、ＣＰＵ１３は、ＤＲＡＭ８に格納されている圧縮処理された画像データを、ＣＰＵバス２４を介してメモリカード９に所定形態で画像データファイルとして記録する（図５参照）。また、この場合、圧縮処理された画像データの画素の一部をある間隔ごとに間引いて作成したサムネイル画像を同一の画像データファイルとして併せて記録する（図５参照）。
【００５０】
次に、デジタルカメラの画像データの再生動作を説明する。操作部１４の操作により再生すべきメモリカード９の画像データファイルが指定されると、指定された画像データファイルの圧縮処理された画像データが読み出されて、ＤＲＡＭ８に格納される。このＤＲＡＭ８に格納された画像データは、ＣＰＵバス２４を介して圧縮／伸張回路７に入力され、伸張処理されて、再び、ＤＲＡＭ８に格納される。ＤＲＡＭ８に格納され伸張処理された画像データは、ＣＰＵバス２４を介してデジタル信号処理回路６に入力され、ビデオ信号に変換されてＬＣＤ１０に表示される。
【００５１】
次に、デジタルカメラのサムネイル画像の分割表示動作（動作例１、動作例２）を説明する。
＜動作例１＞
図６に示すフローチャート及び図７に示す表示例を参照して動作例１を説明する。図６は、動作例１の処理手順を示すフローチャートを示し、図７は、動作例１の分割画面の表示例を示している。
【００５２】
先ず、ＣＰＵ１３は、操作部１４の「分割表示指示」キーにより、サムネイル画像の分割表示が指示された場合には（ステップＳ１）、メモリカード９に格納されている画像ファイルの総数（画像データの総数、サムネイル画像の総数）Ｎを調べる（ステップＳ２）。具体的には、ＣＰＵ１３は、メモリカード９のディレクトリエントリ領域９４のエントリを検索して行う。上記ステップＳ１で、”ＮＯ”の場合にはスタートに戻る。
【００５３】
そして、ＣＰＵ１３は、得られた画像ファイルの総数Ｎを、総画像数レジスタＲ１に格納する（ステップＳ３）。そして、ＣＰＵ１３は、操作部の「分割数指定」キーで指定されるサムネイル画像の分割数Ｄを、分割数レジスタＲ２に格納する（ステップＳ４）。つづいて、ＣＰＵ１３は、画像データファイルの総数Ｎ／分割数Ｄの演算を行い得られる総ページ数Ｌを、総ページ数レジスタＲ３に格納する（ステップＳ５）。但し、画像ファイルの総数Ｎ／分割数Ｄの演算で、余りがある場合には、商に＋１した値を総ページ数Ｌとする。例えば、画像ファイルの総数Ｎが５０で、分割数Ｄが４の場合には、総ページ数Ｌを１３（商１２＋１）とする。
【００５４】
そして、ＣＰＵ１３は、操作部１４の「ページ番号指定」キーで指定されたページ番号Ｐを現ページ番号レジスタＲ４に格納する（ステップＳ６）。一方、現ページ番号レジスタＲ４のデータを得るために、前記演算と同様の演算により、サムネイル画像が何ページに表示されるかを算出することができる。前記の例を用いると、３０番目のサムネイル画像を選択し、分割数Ｄが４の場合には、３０／４は、商が７、余りが２であるので、商に＋１した８が現ページ番号になり、３０番目のサムネイル画像は８ページに表示される。
【００５５】
つぎに、ＣＰＵ１３は、指定されたページ番号Ｐのサムネイル画像を、分割数Ｄ分だけメモリカード９から読み出して分割数分だけ、デジタル信号処理回路６を介してＬＣＤ１０に表示する（ステップＳ７）。そして、ＣＰＵ１３は、操作部１４の「ページ表示ＯＮ／ＯＦＦ」キーでページ表示ＯＮが指定されている場合には（ステップＳ８）、“現在表示されているページ番号Ｐ／総ページ数Ｌ”を画面右下に表示する（ステップＳ９）。なお、ＣＰＵ１３は、分割数に応じた大きさのサムネイル画像を表示するために、メモリカード９に格納されているサムネイル画像の画素の一部をある間隔ごとに間引く。上記ステップＳ８で、”ページ表示ＯＮ”が指定されていない場合、すなわち、”ＮＯ”の場合には、ステップＳ９をスキップしてステップＳ１０に移行する。
【００５６】
そして、ＣＰＵ１３は、操作部１４の「ページ送り」キーの操作がなされた場合には（ステップＳ１０）、現ページ番号レジスタＲ４の現ページ番号Ｐを「１」インクリメントするとともに（ステップＳ１１）、後ろのページの分割画面を表示し、表示されている現ページ番号Ｐを「１」インクリメントさせる（ステップＳ１２）。上記ステップＳ１０で、”ページ送り”操作がなされなかった場合、すなわち”ＮＯ”の場合には、ステップＳ１１およびＳ１２をスキップしてステップＳ１３に移行する。
【００５７】
また、ＣＰＵ１３は、操作部１４の「ページ戻し」キーの操作がなされた場合には（ステップＳ１３）、現ページ番号レジスタＲ４の現ページ番号Ｐを「１」デクリメントするとともに（ステップＳ１４）、前のページの分割画面を表示し、表示されている現ページ番号Ｐを「１」デクリメントさせる（ステップＳ１５）。上記ステップＳ１３で、”ページ戻し”操作がなされなかった場合、すなわち”ＮＯ”の場合には、ステップＳ１４およびＳ１５をスキップしてステップＳ１６に移行する。
【００５８】
なお、最終ページが表示されている場合に、「ページ送り」キーによりページ送りが指定された場合には、１ページ目を表示することとする。また、最初のページが表示されている場合に、「ページ戻し」キーによりページ戻しが指定された場合には、最終ページを表示することとする。すなわち、最初のページと最終ページは続きのページとして表示される。
【００５９】
さて、ＣＰＵ１３は、操作部１４の「分割表示指示」キーにより、分割表示の終了が指示された場合には（ステップＳ１６）、当該処理を終了する一方、分割表示の終了が指示されていない場合にはステップＳ１０に移行する。
【００６０】
図７に示す表示例は、画像データの総数Ｎ＝７２で、「分割数指定」キーで分割数Ｄ＝９が指定された場合を示しており、総ページ数Ｌ＝８となっている。特に、図７（Ａ）は、８ページを表示しており、図７（Ｂ）は、１ページを表示している。図７（Ａ）に示す８ページ（最終ページ）を表示している場合に、「ページ送り」キーが操作されると、図７（Ｂ）に示す１ページ（最初のページ）が表示される。また、図７（Ｂ）に示す１ページ（最初のページ）を表示している場合に、「ページ戻し」キーが操作されると、図７（Ａ）に示す８ページ（最終ページ）が表示される。
【００６１】
なお、上記図７（Ａ）、（Ｂ）では、画面右下に”現在表示されているページ数／総ページ数”を数字を使用して表示する表示例を示したが、本発明はこれに限られるものではない。他のページ表示方法として、例えば、インジケータを使って画面の他の位置に表示することにしても良い。より具体的には、総ページ数Ｌに相当する数のボックスを画面上に連続して並べ、現在表示しているページに相当するボックスを目立たせる（例えば影を付ける）等の表示方法を使用しても良い。
【００６２】
以上説明したように、動作例１によれば、「分割数指定」キーで指定された分割数Ｄのサムネイル画像を表示させる場合に、メモリカード９に記録された画像データファイル（画像データ、サムネイル画像）の総数Ｎを指定された分割数Ｄで割った数を総ページＬとし、当該総ページ数Ｌと、現在表示している画面のページ番号Ｐとを表示する構成であるので、複数枚のサムネイル画像を一画面に表示した場合に、現在表示されている画面が何ページ目かを、操作者が容易に判断することが可能となる。
【００６３】
＜動作例２＞
先ず、図８に示すフローチャート及び図９に示す表示例を参照して動作例２を説明する。図８は、動作例２の処理手順を示すフローチャートを示し、図９は、動作例２の分割画面の表示例を示している。図９に示す表示例は、各サムネイル画像にファイル番号と表示位置番号とを付したものである。なお、動作例２においては、操作部１４のカーソルキーを操作することにより、分割表示されたサムネイル画像の１つをカーソル表示（識別表示）することができる。
【００６４】
先ず、ＣＰＵ１３は、操作部１４の「分割表示指示」キーにより、サムネイル画像の分割表示が指示された場合には（ステップＳ２１）、メモリカード９に格納されている画像ファイルの総数（画像データの総数、サムネイル画像の総数）Ｎを調べる（ステップＳ２２）。具体的には、ＣＰＵ１３は、メモリカード９のディレクトリエントリ領域９４のエントリを検索して行う。上記ステップＳ２１で”ＮＯ”の場合にはスタートに戻る。
【００６５】
そして、ＣＰＵ１３は、得られた画像データファイルの総数Ｎを、総画像数レジスタＲ１に格納する（ステップＳ２３）。そして、ＣＰＵ１３は、操作部の「分割数指定」キーで指定されるサムネイル画像の分割数Ｄを、分割数レジスタＲ２に格納する（ステップＳ２４）。つづいて、ＣＰＵ１３は、画像ファイルの総数Ｎ／分割数Ｄの演算を行い得られる総ページ数Ｌを、総ページ数レジスタＲ３に格納する（ステップＳ２５）。但し、画像データファイルの総数Ｎ／分割数Ｄの演算で、余りがある場合には、商に＋１した値を総ページ数Ｌとする。
【００６６】
そして、ＣＰＵ１３は、操作部１４の「ページ番号指定」キーで指定されたページ番号Ｐを現ページ番号レジスタＲ４に格納する（ステップＳ２６）。そして、ＣＰＵ１３は、指定されたページ番号Ｐのサムネイル画像を、分割数Ｄ分だけメモリカード９から読み出して分割数分だけ、デジタル信号処理回路６を介してＬＣＤ１０に表示する（ステップＳ２７）。そして、ＣＰＵ１３は、操作部１４の「ページ表示ＯＮ／ＯＦＦ」キーでページ表示ＯＮが指定されている場合には（ステップＳ２８）、”現在表示しているページ番号Ｐ／総ページ数Ｌ”を画面右下に表示する（ステップ２９）。なお、ＣＰＵ１３は、分割数に応じた大きさのサムネイル画像を表示するために、メモリカード９に格納されているサムネイル画像の画素の一部をある間隔ごとに間引く。他方、「ページ表示ＯＮ／ＯＦＦ」キーでページ表示ＯＮが指定されていない場合には、ステップＳ２９を飛ばしてステップＳ３０に移行する。
【００６７】
さて、ＣＰＵ１３は、操作部１４の「分割数指定」キーにより、分割表示数Ｄの変更がなされた場合には（ステップＳ３０）、変更指示された分割数で、現在カーソル表示しているサムネイル画像を含んだページの分割画面を表示をするとともに（ステップＳ３１）、”現在表示しているページ番号Ｐ／総ページ数Ｌ”を変更して表示する（ステップＳ３２）。他方、ステップＳ３０において、分割表示数Ｄの変更がなされていない場合には、ステップＳ３１およびステップＳ３２を飛ばしてステップＳ３３に移行する。
【００６８】
そして、ＣＰＵ１３は、操作部１４の「分割表示指示」キーにより、分割表示の終了が指示された場合には（ステップＳ３３）、当該処理を終了する一方、分割表示の終了が指示されていない場合にはステップＳ３０に移行する。
【００６９】
図９に示す表示例は、「分割数指定」キーにより、４分割表示と９分割表示との間で変更指示がなされた場合を示している。図９（Ａ）に示す４分割画面（現在表示しているページ番号３、総ページ数８）で、左上のサムネイル画像（パーソナルコンピュータの画像）がカーソル表示されている場合に、「分割数指定」キーにより、分割数が「９」に変更された場合には、図９（Ｂ）に示す通り、現在カーソル表示されているサムネイル画像を含んだページの９分割画面が表示され、カーソル表示されたサムネイル画像は、画面の右下に位置する（分割画面上の表示位置番号９）。そして、画面の右下に、変更された”現在表示しているページ番号１／総ページ数４”が表示される。本動作例では、サムネイル画像のファイル番号および表示位置番号、もしくはそのいずれか一つを表示することが可能である。
【００７０】
上記動作例２においては、ＣＰＵ１３は、まず、カーソルで指定されたサムネイル画像（パーソナルコンピュータの画像、ファイル番号９）のファイル番号Ｃをメモリカード９のディレクトリエントリ領域９４のファイル名データ（図４参照）から検索する。各画像データファイルのファイル番号Ｃは、メモリカード９に画像データを格納するために、続きのファイル番号となっている。
【００７１】
次に、ＣＰＵ１３は、新しい”現在表示しているページ番号とサムネイル画像の表示位置番号を得るために、”ファイル番号Ｃ−１／変更分割表示数Ｄ”の演算を行う。演算の結果、”商＋１”を”現在表示しているページ番号”とし、”余り＋１”をカーソル表示されているサムネイル画像の分割画面上の表示位置番号とする。
【００７２】
上記演算を図９（Ａ）から図９（Ｂ）への画面変更表示例を使って詳細に説明する。サムネイル画像の分割表示数を４から９に変更した場合、カーソル表示されているサムネイル画像（パーソナルコンピュータの画像）のファイル番号９から１を引く（９−１＝８）。
【００７３】
そして、８を変更分割表示数すなわち９で割ると（（９−１）／９）、商は０、余り８が得られる。演算の結果、”商＋１”すなわち”０＋１＝１”が現在表示しているページ番号となり、”余り＋１”すなわち”８＋１＝９”が、カーソル表示されているサムネイル画像（パーソナルコンピュータの画像）の分割画面上の表示位置番号となる。また、総ページ数は、前述した演算により、４となる。
【００７４】
さらに、上記演算を図９（Ｂ）から図９（Ａ）への画面変更実施例を用いて説明する。サムネイル画像の分割表示数を４から９に変更した場合、カーソル表示されているサムネイル画像（パーソナルコンピュータの画像）のファイル番号９から１を引く（９−１＝８）。８を変更分割表示数すなわち４で割ると（（９−１）／４）、商は２、余り０が得られる。
【００７５】
演算の結果、”商＋１”すなわち”２＋１＝３”が現在表示しているページ番号となり、”余り＋１”すなわち”０＋１＝１”が、カーソル表示されているサムネイル画像（パーソナルコンピュータの画像）の分割画面上の表示位置番号となる。”現在表示しているページ番号３／総ページ数８”は、変更画面の右下に表示される。
【００７６】
以上説明したように、動作例２によれば、サムネイル画像が分割表示されている場合に、「分割数指定」キーで分割数の変更が指示された場合には、変更指示された分割数で、現在カーソル表示されているサムネイル画像を含んだ分割表示をすることとしたので、複数枚のサムネイル画像が表示された画面で、画面の分割数を変更した場合に、現在カーソル等で表示されているサムネイル画像を、次の変更画面でも表示することができ、操作者の使い勝手が良くなる。
【００７７】
なお、サムネイル画像の画面上の分割表示数は、サムネイル画像の縦横比が変わらないことを条件に変更することが可能であり、サムネイル画像の見易さの観点から、最高１６分割までが望ましい。
【００７８】
また、本発明は上記した実施の形態に限定されるものではなく、発明の要旨を変更しない範囲で適宜変形可能である。
【００７９】
【発明の効果】
本発明によれば、サムネイル画像データを含む画像データを格納するための記憶手段と、サムネイル画像データを表示するための表示手段と、複数ページのサムネイル画像データの表示および当該サムネイル画像データと共にページデータの表示を制御する制御手段とを備えたこととしたので、サムネイル画像データを画面に表示した場合に、現在表示されている画面が何ページ目かを、操作者が容易に判断することが可能となり、操作者の使い勝手が良くなる。
【００８０】
また、本発明によれば、ページデータは、現在表示しているページのデータとサムネイル画像データの総ページ数のデータとを含むこととしたので、請求項１に記載の発明の効果に加えて、操作者は、サムネイル画像データの総ページ数と現在表示されているページの番号を知ることが可能となる。
【００８１】
また、本発明によれば、さらに、１ページのサムネイル画像データの数を設定するための入力を受け取る入力手段を備えたこととしたので、請求項１に記載の発明の効果に加えて、操作者が１ページ（１画面）に表示するサムネール画像データの数を指定することができ、より使い勝手が良くなる。
【００８２】
また、本発明によれば、さらに、サムネイル画像データの続きのページを連続して表示するための切替手段を備えたこととしたので、操作性が向上するという効果を奏する。
【００８３】
また、本発明によれば、制御手段は、各サムネイル画像データのファイル番号の表示を制御することとしたので、操作者はサムネイル画像データのファイル番号を知ることが可能となる。
【００８４】
また、本発明によれば、入力手段は、表示されているページで１つのサムネイル画像データが選択された際に、１ページのサムネイル画像データの数を変更するための変更入力を受け取り、当該選択されたサムネイル画像データは変更されたページ上でも表示されることとしたので、現在表示・選択されているサムネイル画像を、次の変更画面でも表示することができ、操作者の使い勝手が良くなる。
【００８５】
また、本発明によれば、制御手段は、１ページのサムネイル画像データの数を設定するための入力に基づき、サムネイル画像データの総ページ数および／または現在表示しているページの番号を算出することとしたので、請求項３に記載の発明の効果に加えて、サムネイル画像データの分割数に応じたサムネイル画像データの総ページ数や現在表示しているページの番号を表示することが可能となる。
【００８６】
また、本発明によれば、最終ページと最初のページは続きのページであることとしたので、最終ページの次に最初のページを見ることができ、操作者の使い勝手が良くなる。
【００８７】
また、本発明によれば、制御手段は、１ページのサムネイル画像データの数を変更するための変更入力に基づき、現在表示しているページの番号および／またはサムネイル画像データの総ページ数を算出することとしたので、請求項６に記載の発明の効果に加えて、変更されたサムネイル画像データの分割数に応じたサムネイル画像データの総ページ数や現在表示しているページの番号を表示することが可能となる。
【００８８】
また、本発明によれば、表示手段は、サムネイル画像データの表示位置番号を表示し、前記制御手段は、１ページのサムネイル画像データの数を変更するための変更入力に基づき、表示位置番号を算出することとしたので、請求項６に記載の発明の効果に加えて、操作者は、サムネイル画像データの表示位置を数字で確認することが可能となり、操作者の使い勝手が良くなる。
【００８９】
また、本発明によれば、サムネイル画像データを含む画像データを格納するステップと、サムネイル画像データを表示するステップと、複数ページの前記サムネイル画像データの表示および当該サムネイル画像データと共にページデータの表示を制御するステップとを含むこととしたので、サムネイル画像データを画面に表示した場合に、現在表示されている画面が何ページ目かを、操作者が容易に判断することが可能となり、操作者の使い勝手が良くなる。
【００９０】
また、本発明によれば、ページデータは、現在表示しているページのデータとサムネイル画像データの総ページ数のデータとを含むこととしたので、操作者は、サムネイル画像データの総ページ数と現在表示されているページの番号を知ることが可能となる。
【００９１】
また、本発明によれば、さらに、１ページのサムネイル画像データの数の設定を入力するステップを含むこととしたので、操作者が１ページ（１画面）に表示するサムネール画像データの数を指定することができ、より使い勝手が良くなる。
【００９２】
また、本発明によれば、さらに、サムネイル画像データの続きのページを連続して表示することを選択するステップを含むこととしたので、請求項１に記載の発明の効果に加えて、操作性が向上するという効果を奏する。
【００９３】
また、本発明によれば、さらに、各サムネイル画像データのファイル番号の表示するステップを含むこととしたので、操作者はサムネイル画像データのファイル番号を知ることが可能となる。
【００９４】
また、本発明によれば、入力するステップでは、表示されているページで１つのサムネイル画像データが選択された際に、１ページのサムネイル画像データの数の変更が可能であり、当該選択されたサムネイル画像データは変更されたページ上でも表示されることとしたので、現在表示・選択されているサムネイル画像を、次の変更画面でも表示することができ、操作者の使い勝手が良くなる。
【００９５】
また、本発明によれば、制御するステップでは、１ページのサムネイル画像データの数を設定する設定入力に基づき、サムネイル画像データの総ページ数および／または現在表示しているページの番号を算出することとしたので、サムネイル画像データの分割数に応じたサムネイル画像データの総ページ数や現在表示しているページの番号を表示することが可能となる。
【００９６】
また、本発明によれば、最終ページと最初のページは続きのページであることとしたので、最終ページの次に最初のページを見ることができ、操作者の使い勝手が良くなる。
【００９７】
また、本発明によれば、制御するステップでは、１ページのサムネイル画像データの数を変更する変更入力に基づき、現在表示しているページの番号および／またはサムネイル画像データの総ページ数を算出することとしたので、変更されたサムネイル画像データの分割数に応じたサムネイル画像データの総ページ数や現在表示しているページの番号を表示することが可能となる。
【００９８】
また、本発明によれば、表示するステップでは、サムネイル画像データの表示位置番号を表示し、制御するステップでは、１ページのサムネイル画像データの数を変更する変更入力に基づき、当該表示位置番号を算出することとしたので、操作者は、サムネイル画像データの表示位置を数字で確認することが可能となり、操作者の使い勝手が良くなる。
【００９９】
また、本発明によれば、複数枚のサムネイル画像を表示部に分割表示可能なデジタルカメラにおいて、画像データと、当該画像データに対応するサムネイル画像が、関連づけて格納される記憶媒体と、表示部に表示すべきサムネイル画像の分割数を指定する分割数指定手段と、表示部に、指定された分割数の複数枚のサムネイル画像を分割表示させる分割表示制御手段と、を備え、表示部に、指定された分割数のサムネイル画像を表示させる場合に、記録媒体に記録された画像データの総数を指定された分割数で割った数を総ページとし、当該総ページ数と、現在表示している画面のページ番号とを併せて表示することとしたので、複数枚のサムネイル画像を一画面に表示した場合に、現在表示されている画面が何ページ目かを、操作者が容易に判断することが可能となり、操作者の使い勝手が良くなる。
【０１００】
また、本発明によれば、更に、分割表示されたサムネイル画像の画面のページ送り及びページ戻しを指示するページ送り・ページ戻し指示手段を備え、ページ送り・ページ戻し指示手段により、ページ送りが指定された場合には後ろのページの分割画面を表示するとともに表示するページ番号を１増加させる一方、ページ戻しが指定された場合には前のページの分割画面を表示すると共に表示するページ番号を１減少させることとしたので、操作性を向上させることが可能となる。
【０１０１】
また、本発明によれば、前記ページ送り・ページ戻し指示手段により、ページ送りが指定された場合に、最終ページ番号のつぎは、最初のページを表示する一方、ページ戻しが指定された場合に、最初のページ番号のつぎは、最終ページを表示することとしたので、ページ送り及びページ戻しの操作性を向上させることが可能となる。
【０１０２】
また、本発明によれば、更に、総ページ数及び現在のページ番号の表示のＯＮ／ＯＦＦを指示するページ表示指定手段を備えたこととしたので、操作者の希望に応じて、ページ表示をするか否かの選択が可能となる。
【０１０３】
また、本発明によれば、複数枚のサムネイル画像を表示部に分割表示可能なデジタルカメラにおいて、表示部に表示すべきサムネイル画像の分割数を指定する分割数指定手段と、表示部に、指定された分割数の複数枚のサムネイル画像を分割表示させる分割表示制御手段と、分割表示された複数枚のサムネイル画像のうち、指定されたサムネイル画像を識別表示させる識別表示制御手段と、を備え、分割数指定手段で、分割数の変更が指示された場合には、変更指示された分割数で、現在識別表示されているサムネイル画像を含んだ分割表示をすることとしたので、複数枚のサムネイル画像が表示された画面で、画面の分割数を変更した場合に、現在カーソル等で表示されているサムネイル画像を、次の変更画面でも表示することができ、操作者の使い勝手が良くなる。
【０１０４】
また、本発明によれば、分割数指定手段は、４分割表示と９分割表示との間で変更指示することとしたので、４分割画面と９分割画面の切替が可能となる。
【図面の簡単な説明】
【図１】この発明に係るデジタルカメラの一実施の形態を示すブロック図である。
【図２】サムネイル表示用レジスタの内容を示す図である。
【図３】図１のメモリカードのフォーマットの一例を示す図である。
【図４】図１のメモリカードのディレクトリエントリ領域に格納されるデータの構成の一例を示す図である。
【図５】図１のメモリカードの画像データファイル領域の構成の一例を示す図である。
【図６】動作例１を説明するためのフローチャートである。
【図７】動作例１の表示例を示す図である。
【図８】動作例２を説明するためのフローチャートである。
【図９】動作例２の表示例を示す図である。
【符号の説明】
１    レンズ
２    メカ機構
３    ＣＣＤ
４    ＣＤＳ回路
５    Ａ／Ｄ変換器
６    デジタル信号処理回路
７    圧縮／伸張回路
８    ＤＲＡＭ
９    メモリカード
１０  ＬＣＤ
１１  ドライバ
１２  ＳＧ
１３  ＣＰＵ
１４  操作部
１５  ストロボ
１６  マイク
１７  ＡＭＰ／ＦＩＬＴＥＲ
１８  Ｄ／Ａ変換器
１９  音声データ圧縮／伸張回路
２０  Ａ／Ｄ変換器
２１  ＡＭＰ／ＦＩＬＴＥＲ
２２  ＯＳＤ
２３  ＲＡＭ
２４  ＣＰＵＢＵＳ
９１  アトリビュート領域
９２  ブートセレクタ
９３  ＦＡＴ領域
９４  ディレクトリエントリ領域
９５  画像データファイル領域
９６  音声データファイル領域
【図１】
0004149593.tif 000002
【図２】
0004149593.tif 000003
【図３】
0004149593.tif 000004
【図４】
0004149593.tif 000005
【図５】
0004149593.tif 000006
【図６】
0004149593.tif 000007
【図７】
0004149593.tif 000008
【図８】
0004149593.tif 000009
【図９】
0004149593.tif 000010